(57)【特許請求の範囲】
【請求項１】
ガラス基板を骨格とする発光タイルと、前記ガラス基板の縁端面を覆う弾性ジャケットを備えた面状発光パネルであって、
前記発光タイルの正面に発光面を備える面状発光パネルにおいて、
前記弾性ジャケットは、前記発光タイルの背面側の一部を覆う背面側覆部と、背面側覆部と、前記発光タイルの正面側の一部を覆う正面側覆部を有し、
前記背面側覆部は、環状に形成されて背面側開口を形成するものであって、背面視したときに前記背面側開口の中央側に突出した複数のジャケット側凸部を有し、
前記ジャケット側凸部は、前記背面側開口の一部を形成するものであって、前記背面側開口の周方向において所定の間隔を空けて並設されており、
隣接する２つのジャケット側凸部は、前記背面側開口の中央側から窪んだジャケット側凹部を形成しており、
前記発光タイルは、有機ＥＬタイルと、前記有機ＥＬタイルの背面側の一部を覆う外装層を有し、
前記弾性ジャケットは、前記２つのジャケット側凸部と前記正面側覆部が前記外装層を介さずに前記有機ＥＬタイルを挟むことを特徴とする面状発光パネル。
【請求項２】
前記外装層は、背面視したときに、面状に広がりをもった本体部と、本体部の外周縁から外側に向けて突出した外装層側凸部を有しており、
前記外装層側凸部は、前記ジャケット側凹部と嵌合していることを特徴とする請求項１に記載の面状発光パネル。
【発明の詳細な説明】
【技術分野】
【０００１】
本発明は、面状発光パネルに関する。特に、本発明は、薄く且つ面状に発光する発光タイルの側面を保護するためのケーシングを備える面状発光パネルに関する。
【背景技術】
【０００２】
近年、白熱灯や蛍光灯に代わる照明装置として、例えば、有機ＥＬ発光パネルのような面状発光パネルが注目され、多くの研究がなされている。
この面状発光パネルは、薄く且つ面状に発光する面状発光タイルを内蔵するものであり、例えば、有機ＥＬタイルをジャケット（フレーム、枠）によりケーシングした有機ＥＬ発光パネルがある。【０００３】
この有機ＥＬタイルは、基材となるガラス基板や透明樹脂フィルム／金属シート等の基板上に、一方又は双方が透光性を有し対向する薄膜電極と、その電極間に積層した薄膜有機発光層とからなる有機ＥＬ素子を形成する。その後、形成した有機ＥＬ素子を所定の封止方法によって封止したものである。【０００４】
そして、この有機ＥＬタイルは、薄膜有機発光層を挟んで対向した電極間に電力を与えると、薄膜有機発光層内で電子と正孔が再結合し、この再結合に起因して面状に発光する。この有機ＥＬタイルは、いわば一種の面状発光タイルである。すなわち、有機ＥＬタイルは、薄くて軽く面状に発光するという優れた特徴を有する発光デバイスである。【０００５】
面状発光タイルを照明器具として用いる場合には、面状発光タイルの基材の割れや欠けを防ぐ必要がある。また、面状発光タイルを照明器具として用いる場合には、エッジでの人の指等への創傷を防ぐ必要がある。そのため、面状発光タイルを照明器具として用いる場合には、これらを満たすジャケット等によるケーシングが必要となり、基材の側面を保護する構造が必要となる。また、面状発光タイルを照明器具として用いる場合には、ケーシングによって、薄くて軽く面状に発光するという面状発光タイルの特徴を最大限活かせるものであることが好ましい。
従来の面状発光タイルのケーシング構造としては、例えば、特許文献１〜４がある。
【先行技術文献】
【特許文献】
【０００６】
【特許文献１】特開２００６−３３１８５６号公報
【特許文献２】特開２００７−５２２７号公報
【特許文献３】特開２００９−１５８１０３号公報
【特許文献４】特表２０１２−５２３６６１号公報
【発明の概要】
【発明が解決しようとする課題】
【０００７】
ところが、特許文献１〜３に記載のケーシング構造では、枠片やフレームに微細な加工が必要となり、コストが嵩むという問題がある。また、組立にも精度が必要となり、ある程度の熟練者でないと、組み立てられないという課題がある。
すなわち、特許文献１に記載の照明装置では、２つの分割片で面発光光源を囲んで枠体とするため、分割片の寸法や構造など精密な加工を必要とし、組み立てる際に精度が要求される。
特許文献２，３に記載の照明装置では、枠体を電気接点として用いるため、枠体の構造に精密な加工を必要とし、組み立てる際にパネル本体の端子と電気接点との接続に精度が要求される。【０００８】
また、特許文献４には、ＯＬＥＤパネルに柔らかいフレームを取り付けたＯＬＥＤ装置が開示されている。特許文献４のＯＬＥＤ装置によれば、頑強でかつ美的な外観を得られるとされている。
そこで、本発明者は、特許文献４に倣って、柔らかいフレームを用いた有機ＥＬ発光パネルを試作したところ、美的な外観が得られたものの、発光に伴うガラス基板の膨張・収縮によって、柔らかいフレームを用いるとフレームが外れたり、捲れたりする問題が生じていた。【０００９】
本発明は、このような先行技術の問題点に鑑み為されたものであり、発光タイルにジャケットを装着して発光タイルのエッジを保護するものであって、かつ、ジャケットのめくれや発光タイルに対する脱離を防止できる面状発光パネルを提供することを課題とする。
【課題を解決するための手段】
【００１０】
本発明の一つの様相は、ガラス基板を骨格とする発光タイルと、前記ガラス基板の縁端面を覆う弾性ジャケットを備えた面状発光パネルであって、前記発光タイルの正面に発光面を備える面状発光パネルにおいて、前記弾性ジャケットは、前記発光タイルの背面側を覆う背面側覆部を有し、前記背面側覆部は、環状に形成されて背面側開口を形成するものであって、背面視したときに前記背面側開口の中央側に突出した複数のジャケット側凸部を有し、前記ジャケット側凸部は、前記背面側開口の一部を形成するものであって、前記背面側開口の周方向において所定の間隔を空けて並設されており、隣接する２つのジャケット側凸部は、前記背面側開口の中央側から窪んだジャケット側凹部を形成していることを特徴とする面状発光パネルである。【００１１】
本様相によれば、弾性ジャケットによって発光タイルの骨格をなすガラス基板の端面を保護するものである。すなわち、弾性ジャケットは、発光タイルのエッジを保護するエッジ保護部材である。
本様相によれば、弾性をもった弾性ジャケットを発光タイルに取り付けられるので、簡単に弾性ジャケットを取り付けることが可能である。
本様相によれば、発光タイルの背面を覆う背面側覆部は、環状に囲まれた背面側開口を備えているため、発光タイルの背面全面を覆う場合に比べて、材料使用量を少なくでき、安価に形成することができる。
本様相によれば、弾性ジャケットの背面側開口の一部がジャケット側凸部によって構成されており、ジャケット側凸部が背面側開口の周方向に離間して隣接するジャケット側凸部によってジャケット側凹部を形成している。そのため、例えば、発光タイルの骨格部材たるガラス基板が薄く撓みやすい場合であっても、弾性ジャケットが背面側開口を構成するジャケット側凸部及びジャケット側凹部の存在によって、当該撓みに追従して変形することが可能である。
また、発光パネルの発光に伴う発熱等によって、発光パネルの自身が膨張・収縮を繰り返した場合でも、弾性ジャケットがジャケット側凸部及びジャケット側凹部の存在によって、当該膨張・収縮に追従して開口縁に沿った方向に変形することが可能である。具体例を挙げると、発光タイルが膨張した後に収縮した場合には、弾性ジャケットが弾性をもっているので、それに追随して膨張後、収縮する。この弾性ジャケットの収縮に伴い背面側開口近傍では、周方向に圧縮力が加わるが、ジャケット側凹部が形成されているので、当該圧縮力を逃がし、厚み方向に膨らむことを防止できる。
以上のように、本様相によれば、弾性ジャケットが発光タイルから外れたり、ガラス基板の端辺の中央部近傍で捲れたり、弾性ジャケットが膨らんだりすることを防止でき、信頼性に優れた面状発光パネルとなる。また、エッジの耐衝撃性、低創傷性が確保された、軽く薄く長期信頼性に優れた面状発光パネルを簡便安価に提供できる。【００１２】
好ましい様相は、前記発光タイルは、多角形状であり、前記背面側覆部は、前記発光タイルの一辺に沿って、少なくとも３つのジャケット側凹部が並設されていることである。【００１３】
本様相によれば、一辺に３つ以上のジャケット側凹部が並設されているため、より発光タイルの撓みを吸収でき、より弾性ジャケットの外れや捲れが生じにくい。【００１４】
好ましい様相は、前記発光タイルは、前記発光タイルの一辺と対向する対辺を有し、前記背面側覆部は、前記発光タイルの対辺においても、少なくとも３つのジャケット側凹部を備えていることである。【００１５】
本様相によれば、対辺にも３つ以上のジャケット側凹部を備えているので、さらに撓みを吸収でき、さらに弾性ジャケットの外れや捲れが生じにくい。【００１６】
好ましい様相は、前記発光タイルは、多角形状であり、前記背面側覆部は、前記発光タイルの各辺において、ジャケット側凹部を備えていることである。【００１７】
本様相によれば、各辺にジャケット側凹部を備えているので、いずれの辺において膨張収縮による圧縮力が働いても、発光タイルから弾性ジャケットが外れにくい。【００１８】
また、上記した様相は、２ｍｍ以下の厚みのガラス基板、及び、該ガラス基板の全周を覆うゴム製ジャケットを含み、かつ、一の面状発光領域を備える面状発光パネルであって、該ジャケットが、該面状発光領域を含みその外形と相似形の発光領域開口、及び該発光領域開口の周囲の額縁Ａを有する一方の主面と、複数の凹部を含む裏面開口、及び該裏面開口の周囲の該複数の凹部に対応する凸部を備える凸部付き額縁Ｂを有する他方の主面と、該一方の主面、及び該他方の主面を該全周において連続的に接続し、かつ、該両主面に直角な平面状の側面と、を含む面状発光パネルであってもよい。【００１９】
この様相によれば、このようなパネルは薄いパネルであっても、辺の中央部で、外れたり、めくれたり、膨らんだりする不良が発生しないので信頼性に優れ、また、ジャケットを簡単に巻きつけることが可能なのでパネルの組み立てが容易である。さらに、材料の使用量が少ないので、このようなジャケットは、安価なエッジ保護部材となる。【００２０】
好ましい様相は、前記弾性ジャケットは、前記発光タイルの正面側を覆う正面側覆部を有し、前記正面側覆部は、前記発光面の周囲を囲むように環状に形成されるものであり、前記正面側覆部の平均幅は、前記背面側覆部の幅であって、かつジャケット側凸部を除いた部分の平均幅よりも広いことである。【００２１】
本様相によれば、正面側覆部の平均幅は、背面側覆部のジャケット側凸部を除いた部分の平均幅よりも広いので、外れやめくれや膨らみの不良の発生をより効果的に抑えることができる。【００２２】
この様相において、前記正面側覆部の平均幅は、前記背面側覆部の平均幅よりも広くてもよい。【００２３】
この様相によれば、正面側覆部たる額縁Ａの平均幅は、背面側覆部たる額縁Ｂの平均幅より広い。このように、額縁Ａの平均幅を額縁Ｂの平均幅より広くすることによって、外れやめくれや膨らみなどの不良の発生をより効果的に抑えることができる。また、優れた美的外観をパネルに与えることができる。
さらに、この様相によれば、正面側覆部の平均幅が背面側覆部の平均幅よりも広いため、背面側から発光パネルを取り付けやすい。【００２４】
より好ましい様相は、前記弾性ジャケットは、前記発光タイルの側端面を覆う側面側覆部を有し、前記正面側覆部と前記背面側覆部は、前記側面側覆部によって、前記発光タイルの全周に亘って連続的又は間欠的に接続されていることである。【００２５】
本様相によれば、正面側覆部と背面側覆部が側面側覆部によって発光パネルの全周において接続されて一体化されているので、発光パネルが発光時等において厚み方向に撓んだ場合であっても、正面側覆部と背面側覆部が互いに近接離反することによって発光パネルをしっかりと保持することが可能である。そのため、発光タイルから弾性ジャケットが剥がれることをより防止できる。【００２６】
上記した様相は、前記正面側覆部と前記背面側覆部は、前記側面側覆部によって、前記発光タイルの全周に亘って連続的に接続されていることが好ましい。【００２７】
この様相によれば、面方向における水等の進入を防止できるとともに、ガラス基板の端面が露出しないので、ガラス基板の欠けや割れ等が生じることをより防止できる。【００２８】
好ましい様相は、前記発光タイルは、前記ガラス基板の主面に有機ＥＬ発光素子層が形成された有機ＥＬタイルと、前記有機ＥＬタイルの背面側を覆って前記発光タイルの外装を形成する外装層を有し、前記外装層は、背面視したときに前記ジャケット側凸部と接していることである。【００２９】
また、上記した様相は、前記ガラス基板の前記他方の主面の側の面上に、順に、透光性の第１電極層、少なくとも有機化合物を含む発光層、及び第２電極層が積層されてなる有機ＥＬ発光素子層、及び、前記複数の凸部と接する外装層を含む面状有機ＥＬ発光パネルとしてもよい。【００３０】
これらの様相によれば、面状発光タイルの中でも柔らかい発光に特徴がある有機ＥＬタイルを面状発光タイルとして採用している。そのため、柔らかい光を居住空間等に照射可能な照明用の平面光源として使用できる。
これらの様相によれば、外装層が有機ＥＬタイルの背面側を覆って発光タイルの外装を形成するので、面状発光パネルの機械的強度を実使用に耐える製品とすることができる。【００３１】
好ましい様相は、前記外装層は、背面視したときに、面状に広がりをもった本体部と、本体部の外周縁から外側に向けて突出した外装層側凸部を有しており、前記外装層側凸部は、前記ジャケット側凸部と係合していることである。【００３２】
本様相によれば、外装側凸部がジャケット側凸部の側面と係合している。すなわち、外装側凸部とジャケット側凸部は、背面側開口の開口縁に沿った方向に係合している。そのため、周方向における弾性ジャケットのずれを防止することが可能であり、弾性ジャケットがずれることによる剥がれや膨らみの発生を防止できる。【００３３】
好ましい様相は、前記外装層側凸部は、前記ジャケット側凹部と嵌合していることである。【００３４】
本様相によれば、ジャケット側凸部と外装層側凹部が嵌合しており、弾性ジャケットが外装層にしっかりと嵌りこむため、弾性ジャケットが周方向にずれにくい。また、面状発光タイルから発光面に対して垂直方向にジャケットが外れにくい。【００３５】
上記した様相は、前記発光タイルは、四角形状であり、前記背面側覆部は、背面視したときに、横方向に対向する２つの縦辺覆部を有しており、前記２つの縦辺覆部は、それぞれ前記背面側開口の中央側に突出したジャケット側凸部が形成されており、前記２つの縦辺覆部に形成されたジャケット側凸部は、横方向において同一直線上に並んでいてもよい。【００３６】
上記した様相は、前記一方の縦辺覆部のジャケット側凸部の数は、前記他方の縦辺覆部のジャケット側凸部の数と同数であってもよい。【００３７】
上記した様相は、前記発光タイルは、四角形状であり、前記背面側覆部は、背面視したときに、縦方向に対向する２つの横辺覆部を有しており、前記２つの横辺覆部は、それぞれ前記背面側開口の中央側に突出したジャケット側凸部が形成されており、前記一方の横辺覆部のジャケット側凸部は、前記他方の横辺覆部のジャケット側凸部に対して横方向にずれていてもよい。【００３８】
上記した様相は、前記一方の横辺覆部のジャケット側凸部の数は、前記他方の横辺覆部のジャケット側凸部の数よりも少なくてもよい。【００３９】
好ましい様相は、前記発光タイルは、前記ガラス基板の主面に有機ＥＬ発光素子層が形成された有機ＥＬタイルと、前記有機ＥＬタイルの背面側を覆って前記発光タイルの外装を形成する外装層を有し、前記ガラス基板と前記外装層の間には、無機封止層及び粘着剤層が介在しており、前記無機封止層は、前記有機ＥＬ発光素子層の一部を被覆しており、前記粘着剤層は、面状に広がりをもつものであって、前記無機封止層の一部又は全部を被覆しており、前記無機封止層の平均厚みは、１μｍ以上であって、かつ、前記粘着剤層の厚みよりも薄いことである。【００４０】
上記した様相は、前記有機ＥＬ発光素子層と、前記外装層との間に、前記有機ＥＬ発光素子層と接し、かつ、平均厚みが１μｍ以上の無機封止層、及び粘着剤層を含み、該粘着剤層の平均厚みが無機封止層の平均厚みより厚いこととしてもよい。【００４１】
これらの様相によれば、平均厚みが１μｍ以上の無機封止層によって有機ＥＬ発光素子層が封止されており、さらに粘着剤層が無機封止層の厚みよりも厚く形成されているため、封止効果、不点灯抑制効果、及び応力緩和効果を効果的に奏することができる。【００４２】
ここでいう「封止効果」とは、固体膜たる無機封止層で封止することで面状発光タイルの薄い特徴を最大限に活かしつつ、有機ＥＬ発光素子層への水分の浸入によるダークスポットの発生を抑制することができる。【００４３】
ここでいう「不点灯抑制効果」とは、無機封止層の機能により、発光中に仮にリーク電流が大きい箇所が発生しても、無機封止層内の圧縮及び引張応力の兼ね合いにより、当該箇所がオープンモードの非発光点となる。こうなることで、ショートモードの非発光点とならないので、短絡箇所の発生により電力を印加しても不点灯となる不具合を防止できる。【００４４】
ここでいう「応力緩和効果」とは、無機封止層と粘着剤層との複合機能により、当該箇所に粘着剤層を構成する粘着剤が濡れ性良く流入する。こうなることで、このオープンモードを、外力が素子に加えられた場合であっても安定に維持することができ、信頼性の高いパネルとなる。【００４５】
この様相は、前記無機封止層は、シリコン合金によって形成されていることが好ましい。【００４６】
この様相によれば、不点灯抑制効果をより顕著に発揮することができる。【００４７】
ところで、有機ＥＬタイルに用いられる封止構造の一つとして、封止ガラスキャップ等の封止板を使用する封止構造がある。しかしながら、この封止構造を用いた場合、封止板が重くて嵩張るため、薄くて軽いという有機ＥＬタイルの特徴が損なわれるおそれがある。【００４８】
そこで、好ましい様相は、前記発光タイルは、前記外装層とガラス基板との間に０．５ｍｍ以上の厚みを持つ封止板を含まないこととしてもよい。【００４９】
本様相によれば、０．５ｍｍ以上の厚みを持つ封止板を含まないので、薄くて軽いという有機ＥＬタイルの特徴を活かすことができる。【００５０】
上記した様相は、ガラス基板側から順に無機封止層、粘着剤層、及び外装層がこの順に積層されており、前記無機封止層と粘着剤層は直接接していることが好ましい。【００５１】
この様相によれば、発光素子の非発光面側に、無機封止層等の薄膜や、粘着層や外装層として樹脂フィルム等の剛性の低い部材のみを配置することで、重く厚い封止板を用いないようにできる。【００５２】
好ましい様相は、前記発光タイルは、白色の発光面を有する白色発光タイルであり、前記弾性ジャケットは、白色顔料を含んでおり、実質的に白色であることである。【００５３】
ここでいう「実質的に白色」とは、無彩色であって、一定の明度をもつものをいう。【００５４】
本様相によれば、発光面とジャケットが実質的に同色であるため、発光タイルを発光させることによって全体が光っているように見せることができ、美的外観に優れた面状発光パネルとなる。【００５５】
好ましい様相は、前記発光タイルは、前記発光面上に光散乱性の樹脂層が積層されていることである。【００５６】
本様相によれば、発光面から放出される光が樹脂層によって散乱されるため、従来に比べて光学特性に優れた面状発光パネルとなる。【００５７】
好ましい様相は、前記発光面は、面状発光領域が発光することによって発光するものであり、前記面状発光領域が、互いに分離された複数のサブ発光領域を含むことである。【００５８】
本様相によれば、集積型の有機ＥＬパネルやマトリクス型の有機ＥＬパネルなどの複数のサブ発光領域をもつ面状発光パネルでも好適に使用できる。【００５９】
本発明の一つの様相は、正面に発光面を備える発光タイルの縁端面を覆う弾性ジャケットであって、前記発光タイルの背面側を覆う背面側覆部を有し、前記背面側覆部は、環状に形成されて背面側開口を形成するものであって、背面視したときに前記背面側開口の中央側に突出した複数のジャケット側凸部を有し、前記ジャケット側凸部は、前記背面側開口の一部を形成するものであって、前記背面側開口の周方向において所定の間隔を空けて並設されており、隣接する２つのジャケット側凸部は、前記背面側開口の中央側から窪んだジャケット側凹部を形成している弾性ジャケットである。【００６０】
本様相によれば、エッジの耐衝撃性、低創傷性が確保された、軽く薄く長期信頼性に優れた弾性ジャケットを簡便安価に提供できる。
【発明の効果】
【００６１】
本発明の面状発光パネルによれば、薄く軽い面状発光パネルであって、適切なエッジ保護機能を備え、かつ、実生産に適したパネルとなる。
【図面の簡単な説明】
【００６２】
【図１】本発明の面状発光パネルの一実施形態を示す斜視図である。
【図２】図１に示す面状発光パネルの６面図である。
【図３】比較例の有機ＥＬパネルの外観図である。
【図４】本発明の面状発光パネルの、別の一実施形態の非発光面側主面の写真である。
【図５】本発明の面状発光パネルの、さらに別の一実施形態の発光面側主面（右）と、非発光面側主面（左）を示す写真である。
【図６】本発明の面状発光パネルの、またさらに別の一実施形態の発光面側主面（右）と、非発光面側主面（左）を示す写真である。
【図７】本発明の面状発光タイルを模式的に示した断面図であり、（ａ）は封止に封止ガラスを使用した場合の断面図であり、（ｂ）は封止に封止層を使用した場合の断面図である。
【図８】本発明の有機ＥＬ発光素子を模式的に表す断面図である。
【図９】本発明の第１実施形態の面状発光パネルを模式的に示した斜視図である。
【図１０】図９の面状発光パネルの分解斜視図であり、面状発光タイルをジャケットから取り外した図である。
【図１１】図１０の面状発光パネルをさらに分解した斜視図である。
【図１２】図９の面状発光パネルの断面斜視図である。
【図１３】図９の面状発光パネルを発光面側からみた斜視図である。
【図１４】図１１の有機ＥＬ発光タイルの断面図である。
【図１５】図１１の外装層の背面図である。
【図１６】図１１の弾性ジャケットの背面図である。
【図１７】本願意匠に係る照明器具を示した図であり、（ａ）は正面図、（ｂ）は背面図、（ｃ）は平面図、（ｄ）は底面図、（ｅ）は右側面図、（ｆ）は左側面図を表す。
【図１８】本願意匠に係る照明器具を示した図であり、（ａ）は背面図、（ｂ）は（ａ）のＡ−Ａ断面図、（ｃ）は（ａ）のＢ−Ｂ断面図、（ｄ）は（ａ）のＣ−Ｃ断面図、（ｅ）は（ａ）のＤ−Ｄ断面図を表す。
【図１９】本発明の他の実施形態の面状発光パネルの背面図である。
【図２０】本発明の他の実施形態の面状発光パネルの背面図である。
【図２１】本発明の他の実施形態の面状発光パネルの背面図である。
【図２２】本発明の他の実施形態の面状発光パネルの背面図である。
【発明を実施するための形態】
【００６３】
以下、本発明の概要及び本発明の実施形態について説明する。なお、特に断りのない限り、発光面１０側を正面とし、外装層４側を背面とする。
また、全体的な説明の原則的な流れとして、先に本発明を概念的に説明し、後に実施に則した実施形態について説明する。
【００６４】
（面状発光パネル１）
まず、本発明の面状発光パネル１について概念的に説明する。
図１は、本発明の面状発光パネル１の一実施形態を示す斜視図である。また、図２は、図１に示す面状発光パネル１の６面図である。
【００６５】
本発明の面状発光パネル１は、図１および図２に示すように、面状発光タイル２、及びゴム製の弾性ジャケット３を含むものである。
本発明に係る面状発光タイル２は、図１３に示されるように一の面状発光領域３７をその発光面１０側の主面に有するものである。面状発光タイル２は、２ｍｍ以下の厚みのガラス基板２０を主構成要素とする部材である。本発明の面状発光パネル１においては、図１，図６のように、その全周が本発明に係る弾性ジャケット３で覆われている。
【００６６】
本発明に係る面状発光タイル２は、図１に示されるように、その非発光面側（発光面１０に対して反対側の面側）に外装層４を備えることが好ましい。例えば、有機ＥＬタイル６を内蔵する場合においては、有機ＥＬ発光素子２２を封止する封止層２８上に外装層４が貼り付けられていることが好ましい。
【００６７】
続いて、本発明の第１実施形態の面状発光パネル１について説明する。なお、上記の説明と重複するところは同一の符号を付して簡単に述べる。
第１実施形態の面状発光パネル１は、発光デバイスであり、主に照明装置として使用されるものである。面状発光パネル１は、図９，図１０から読み取れるように、面状発光タイル２、及び弾性ジャケット３によって構成されている。面状発光タイル２は、図１３に示されるように、正面側に実際に発光する発光面１０を備えるものである。
【００６８】
面状発光タイル２は、薄板状のガラス基板２０を主構成要素としており、このガラス基板２０の平均厚みは、２ｍｍ以下である。そのため、面状発光タイル２は、外力等によって撓みやすく、角部や縁端部が破損しやすいという問題が生じ得る。
【００６９】
そこで、第１実施形態の面状発光パネル１では、外力等による面状発光タイル２の破損等を防止するべく、面状発光タイル２の全周が特殊な弾性ジャケット３で覆われている。第１実施形態の面状発光パネル１は、この弾性ジャケット３が従来にない特異な形状をしており、これを特徴の一つとしている。
【００７０】
そして、第１実施形態の面状発光パネル１は、図９，図１０に示されるように、主構成要素として、面状発光タイル２と、弾性ジャケット３と、接着部材５と、必要に応じて両面テープ９５を備えている。
【００７１】
（面状発光タイル２）
本発明の面状発光タイル２について概念的に説明する。
本発明に係る面状発光タイル２としては、従来の光源、例えば、複数のＬＥＤ光源を面状に並べたものに拡散板を被せたものも採用できる。好ましくは、有機ＥＬタイル６を備えるものである。そして、本発明は、面状発光タイル２の主な部材として、その透明性、水蒸気バリア性、剛性、絶縁性の観点から、良好な性質をもつガラス材料を採用している。
さらに、本発明の面状発光タイル２は、軽量化と薄肉化を実現するために、２ｍｍ以下の厚みのガラス基板２０を用いており、この場合に、そのエッジを適切に保護することを、主な目的の一つとしている。
【００７２】
有機ＥＬタイル６は、例えば図８のように、ガラス基板２０上に有機ＥＬ発光素子層２１が積層された有機ＥＬ発光素子２２を含むものである。すなわち、有機ＥＬタイル６は、例えば図８のように、ガラス基板２０上に、順に、透光性の第１電極層２５、少なくとも有機化合物を含む発光機能層２６、及び第２電極層２７を積層された有機ＥＬ発光素子層２１が形成されたものである。
好ましくは、図７（ｂ）のように、有機ＥＬ発光素子２２への水分の浸入を防止するために、有機ＥＬ発光素子層２１と接して無機封止層３３が形成されることである。
【００７３】
有機ＥＬタイル６は、例えば、その有機ＥＬ発光素子層２１の発光機能層２６として、複数の発光層を設けることで可視域に複数のブロードピークを有するスペクトルの発光が可能であり、高演色性の光源とすることができる。すなわち、有機ＥＬタイル６は、被照明体を自然光による照明に近い美しい色彩に見えるように照明できる。
このような観点から、本発明に係る有機ＥＬタイル６の有機ＥＬ発光素子２２は、駆動時に白色に発光する白色発光素子であることが好ましい。その場合、例えば、弾性ジャケット３の材料に白色顔料を添加することで弾性ジャケット３を簡単に白色とできる。すなわち、本発明に係る弾性ジャケット３を白色にして、面状発光パネル１の外観を全体として白色とすることが好ましい。
加えて、このような白色の弾性ジャケット３を備える面状発光パネル１は、弾性ジャケット３で光が乱反射するので、全体として輝度が向上する機能を付加されることとなる。
【００７４】
透光性の第１電極層２５は、透明導電性材料からなる層であり、好ましい材質は、金属酸化物である。第１電極層２５は、その中でも、酸化インジウム錫（ＩＴＯ）、インジウム亜鉛酸化物（ＩＺＯ）、酸化錫（ＳｎＯ2）、及び酸化亜鉛（ＺｎＯ）からなる群から選ばれる１種以上が好ましい。第１電極層２５は、薄膜有機発光層から発生した光を効果的に取り出せる点では、透光性が高いＩＴＯあるいはＩＺＯが好ましく、より好ましくはＩＴＯである。また第１電極層２５は、スパッタ法、又はＣＶＤ法によって成膜されたものであることが好ましい。
【００７５】
有機ＥＬ発光素子層２１の発光機能層２６は、複数の発光層を含むことが高効率の白色発光素子とする観点からは好ましい。なお、有機化合物を含有する発光層は、電極層２５，２７に挟持された発光機能層２６の内の、実際に発光が生じる層である。
このような発光機能層２６の材料は、一般的な有機ＥＬ発光素子の材料を使用することができる。例えば、低分子系色素材料や、共役系高分子材料などの公知のものが挙げられる。有機化合物のポリマーやオリゴマーを塗布形成したものを用いることもできるが、各層をいずれも真空蒸着法によって成膜したものであることが好ましい。こうすることによって、面状発光パネル１を高性能の発光パネルとすることができる。
【００７６】
また、この発光機能層２６は、正孔注入層、正孔輸送層、発光層、電子輸送層、電子注入層などを含む、複数の層からなる積層多層構造であることが好ましい。
さらに、これらの発光機能層２６を構成する各層は、真空蒸着法やスパッタ法、ＣＶＤ法、ディッピング法、ロールコート法（印刷法）、スピンコート法、バーコート法、スプレー法、ダイコート法、フローコート法など適宜公知の方法を併用して形成することが可能である。
【００７７】
第２電極層２７は、アルミニウムや銀等の金属薄膜とすることが好ましく、真空蒸着法によって成膜されることが好ましい。
【００７８】
このような有機ＥＬ発光素子２２に対して外部からの水分の侵入を防ぐための封止がなされていることが好ましい。すなわち、有機ＥＬタイル６は、有機ＥＬ発光素子２２を封止するための封止構造をもつことが好ましい。
【００７９】
有機ＥＬ発光素子２２の封止方法には、キャップ封止や固体膜封止などがある。また、有機ＥＬ発光素子２２の封止方法としては、これらを併用することもできる。
【００８０】
このキャップ封止には、ガラスキャップ封止や、金属キャップ封止などがある。
このガラスキャップ封止は、図７（ａ）に示されるような平板状のガラス板に凹状の窪み４１を作った封止ガラス４０を用い、当該封止ガラス４０の窪み４１に有機ＥＬ発光素子層２１等を覆い被せるものである。
このガラスキャップ封止においては、封止ガラス４０とガラス基板２０は、接着剤で封止してもよいし、図７（ａ）に示されるように、ガラスフリット４２で融着して封止してもよい。
一方、金属キャップ封止は、平板状の金属製の板に同様の凹状の窪みを作った封止金属板を用い、当該封止金属板の窪みに有機ＥＬ発光素子層２１等を覆い被せるものである。
この金属キャップ封止においては、封止金属板とガラス基板２０は、接着剤で封止してもよい。
なお、これらのキャップ封止において、必要に応じてキャップ内部に水分の捕集材を配置してもよい。
【００８１】
固体膜封止には、図７（ｂ）に示されるように、有機ＥＬ発光素子２２上に封止層２８（保護膜）を製膜し封止するものがある。
固体膜封止において、封止層２８（封止膜）は、無機膜でも有機膜でもよいが、好ましくは無機封止層３３とすることである。無機封止層３３の製法には、蒸着やスパッタがあるが、好ましくは、シリコン窒化膜等のシリコン合金層を化学気相成長法（ＣＶＤ法）で製膜することである。
このような無機封止層３３は、有機ＥＬ発光素子２２への水分の浸入を防止する観点から１μｍ以上１０μｍ以下の平均層厚みとすることが好ましい。また、無機封止層３３は、図７（ｂ）に示されるように、有機ＥＬ発光素子２２側から順に、窒素含有シリコン合金層３５、酸素含有シリコン合金層３６の２層からなる無機封止層３３とすることがより好ましい。両合金層３５，３６の層厚みは１：２〜２：１の範囲でほぼ同じ厚みとすることが好ましい。
【００８２】
また、固体膜封止の場合は、図１４に示されるように、機械的な外力によるキズを防ぐために、外装層４として又は外装層４に加えて、ＰＥＴフィルム等の保護フィルムや鉄板等を接着剤や粘着剤で貼り付けることが好ましい。高信頼性パネルとする観点からは、粘着剤からなる粘着剤層９２を用いて貼り付けることが好ましい。
【００８３】
このような粘着剤層９２の平均厚みは、無機封止層３３との関係で、粘着剤層９２を構成する粘着剤の機能を十分に発揮せしめる観点から、無機封止層３３の平均厚みより厚いことが好ましい。
また、粘着剤層９２を構成する粘着剤の材料としては、その粘弾性の観点から、ゴム系、アクリル系、シリコーン系の群から選ばれる一種以上であることが好ましく、その中でも濡れ性に優れるアクリル系が好ましい。また、粘着剤層９２を構成する粘着剤の材料としては、その粘弾性が、０℃〜５０℃、及び周波数１Ｈｚにおける測定時、貯蔵弾性率が１０３Ｐａ以上１０６Ｐａ以下、かつ、貯蔵弾性率が貯蔵弾性率測定値の０．０２倍以上、０．２倍以下であることがさらに好ましい。
【００８４】
このような面状発光タイル２には、そこに含まれる有機ＥＬ発光素子２２に給電するために配線部材が含まれている（図示せず）。給電部材としては、リード線や銅箔、アルミ箔、ＦＰＣ、ＡＣＦなどが用いられる。
ガラス基板２０上又は第１電極層２５を延在させた延在部に設けられた給電パッドと給電部材との電気的接続や、給電パッドと他の部材や給電部材と他の部材との電気的接続に用いられる接続方法としては、はんだ付けや圧着接続が挙げられる。
【００８５】
また、このような面状発光タイル２は、例えば図７のように、輝度や色や角度依存性の特性向上のために、そのガラス基板２０の光射出側の面に樹脂層２９が貼り付けられていることが好ましい。すなわち、面状発光タイル２は、発光面１０側の素面となる面として樹脂層２９が貼り付けられていることが好ましい。言い換えれば、本発明に係る樹脂層２９は、ガラス基板２０の一方の主面の側の面上に形成されることが好ましい。
【００８６】
この樹脂層２９の形成には、ガラス表面にアクリル等からなる樹脂を塗ってナノインプリントする方法やガラスビーズを含んだ樹脂をスプレーコートやスリットコートする方法がある。粘着剤（粘着材）が付いた一方の面をガラスに貼り付け、他方の面の表面に微小な凹凸構造をもつ樹脂フィルム（光学フィルム）を貼ることが好ましい。すなわち、樹脂層２９として、片面に粘着剤（粘着材）が設けられ、他面に微細凹凸をもった光学フィルムを用いることが好ましい。
この光学フィルムには、光散乱性をもつことがより好ましい。また、この光学フィルムの貼り付けは、フィルム表面にキズが付き易い。そのため、場合に応じて、有機ＥＬ発光素子２２を形成した後であって、かつ配線部材の取り付け後とすることが好ましく、有機ＥＬ発光素子２２を形成した後であって、かつ外装層４を取り付けた後であることがより好ましい。 
【００８７】
本発明に係る外装層４の材質は、金属やプラスチック等で形成することができる。面状発光パネル１を軽量化し、その薄さを活かす観点からは、樹脂フィルムとすることが好ましい。このような本発明に係る外装層４は、本発明に係る額縁Ｂの凸部たるジャケット側凸部８１と接して配置されることが好ましい。より好ましくは、外装層４を形成した本発明に係る面状発光タイル２に、本発明に係る凸部付き額縁Ｂを有する弾性ジャケット３を被せることである。
【００８８】
外装層４と有機ＥＬ発光素子２２との間には、有機ＥＬ発光素子２２の面内での温度分布を小さくすることで面内輝度の均一性を高めるために、高熱伝導性のシートを介在させることが好ましい。
また、外装層４として、磁性により面状発光パネル１をその被着面に脱着可能に取り付けるために、磁性材料のシートを用いることもできる。さらに、高信頼性の面状発光パネル１とする観点から、外装層４と無機封止層３３との間に粘着剤層を介在させることが好ましい。
この場合、本発明に係る無機封止層３３への外装層４の取り付けには、粘着剤層を少なくとも一方の面に備える両面テープを用いることが好ましく、作業工数を減らすことができる。このような外装層４は、好ましくはこのような両面テープを介して、本発明に係る有機ＥＬタイル６の裏面（背面）ほぼ全面に貼られる。
【００８９】
続いて、本発明の第１実施形態の面状発光タイル２について説明する。なお、上記の説明と重複するところは同一の符号を付して簡単に述べる。
【００９０】
面状発光タイル２は、発光時に白色に発光する発光面１０を有する白色発光タイルである。面状発光タイル２は、図１０に示されるように、有機ＥＬタイル６と、外装層４と、接着部材５と、両面テープ９５で構成されている。
【００９１】
有機ＥＬタイル６は、ガラス基板２０を骨格とする有機ＥＬ発光素子２２を備えたものである。
有機ＥＬ発光素子２２は、図１４に示されるように、ガラス基板２０上に有機ＥＬ発光素子層２１が積層されたものであり、発光時に白色に発光する白色発光素子である。
有機ＥＬ発光素子層２１は、有機ＥＬ発光素子２２の実際に発光する層であり、図１４に示されるように、ガラス基板２０側から第１電極層２５、発光機能層２６、及び第２電極層２７がこの順に積層されたものである。また、有機ＥＬタイル６は、有機ＥＬ発光素子層２１上に封止層２８が積層されて封止されている。
【００９２】
ガラス基板２０は、上記したように、有機ＥＬタイル６の骨格をなす骨格基板であり、平均厚みが２ｍｍ以下の薄いガラス板である。すなわち、ガラス基板２０は、若干の弾性変形を許容する弾性基板でもある。
【００９３】
第１電極層２５は、透明導電性材料からなる透明導電層であり、有機ＥＬ発光素子２２の一極を担う透明電極層である。
【００９４】
発光機能層２６は、有機化合物を含有する薄膜有機発光層を含んだ層である。この薄膜有機発光層は、電極層２５，２７に挟持された発光機能層２６内の実際に発光が生じる発光層である。
発光機能層２６は、複数の薄膜有機発光層を含む有機ＥＬ発光素子層２１とすることが高効率の白色発光素子とする観点からは好ましい。
【００９５】
発光機能層２６は、正孔注入層、正孔輸送層、発光層、電子輸送層、電子注入層などの複数層で形成された積層多層構造たる発光ユニットを含んでいる。
また、発光機能層２６は、この発光ユニットが複数積層されたユニット多層構造であることが好ましい。
【００９６】
第２電極層２７は、金属材料によって形成される金属層であり、第１電極層２５と対極をなす金属電極層である。
【００９７】
封止層２８は、図１４に示されるように、無機封止層３３と、保護フィルム３４で構成されている。
無機封止層３３は、有機ＥＬ発光素子層２１上に形成されたシリコン合金層である。無機封止層３３は、図１４の拡大図のように、有機ＥＬ発光素子層２１側から順に、窒素含有シリコン合金層３５、酸素含有シリコン合金層３６が積層した層である。
【００９８】
保護フィルム３４は、図１４に示されるように、フィルム本体９１と、粘着剤層９２（粘着材）を有している。
フィルム本体９１は、ガス非透過性を備えた封止フィルムであり、具体的には、樹脂フィルムである。
フィルム本体９１は、ガス非透過性を有していれば、特に限定されるものではなく、例えば、ポリエチレンテレフタラート（ＰＥＴ）製のフィルムなどが使用できる。
粘着剤層９２は、粘着性を有したものであり、無機封止層３３とフィルム本体９１の間に介在して、無機封止層３３に対してフィルム本体９１を接着するものである。具体的には、粘着剤層９２は、両面テープである。
【００９９】
面状発光タイル２は、内蔵する有機ＥＬ発光素子層２１に給電するための配線部材である給電部材を備えている（図示せず）。
【０１００】
面状発光タイル２の正面側に注目すると、面状発光タイル２は、ガラス基板２０の発光面１０側の面に樹脂層２９が貼り付け又は製膜されている。
【０１０１】
一方、有機ＥＬタイル６の背面側に注目すると、有機ＥＬタイル６は、図１１に示されるように、背面に位置決め用突起部６０，６１と、給電端子６２，６３を備えている。
位置決め用突起部６０，６１は、外装層４のずれを防止する部位であり、周囲に比べて突出した部位である。位置決め用突起部６０，６１は、横方向Ｘに所定の間隔を空けて配されており、同一方向に直立している。すなわち、位置決め用突起部６０，６１は、背面から後方に向けて立設されている。
【０１０２】
給電端子６２，６３は、上記した図示しない給電部材を介して有機ＥＬ発光素子２２の電極層２５，２７に接続された端子である。すなわち、給電端子６２は、第１電極層２５と電気的に接続され、給電端子６３は、第２電極層２７と電気的に接続されている。そのため、給電端子６２，６３間に電圧を印加することによって、有機ＥＬ発光素子２２の発光機能層２６に電流を流すことが可能となっている。
【０１０３】
外装層４は、面状発光パネル１の外装の一部を形成する層であり、面状に広がりをもった多角形状の金属製又は樹脂製のシート状体である。
本実施形態の外装層４は、金属製の薄板又はフィルムであり、強磁性体としての性質をもっている。具体的には、外装層４は、鉄製の薄板である。
また、外装層４は、弾性ジャケット３とともに、ガラス基板２０の剛性を補強することが可能となっている。
【０１０４】
外装層４は、図１５に示されるように、背面視したときに略四角形状の部材であり、大まかにみて、対向する２辺と、残りの対向する二辺の四辺によって外周が形成されている。
外装層４は、本体部７０と、本体部７０の外周縁から外側に向けて突出した複数の外装層側凸部７１を有している。
本体部７０は、有機ＥＬタイル６と相似形状をした略四角形状の部位であり、有機ＥＬタイル６の背面の大部分を覆う部位である。本体部７０は、給電用挿通孔７３，７４と、位置調整部７５，７６と、位置決め穴７７，７８を備えている。
【０１０５】
給電用挿通孔７３，７４は、有機ＥＬタイル６の給電端子６２，６３を挿通可能な孔であり、部材厚方向に貫通した略四角形状の貫通孔である。
【０１０６】
位置調整部７５，７６は、壁面等に対して面状発光パネル１全体の位置を固定するための部材である。位置調整部７５，７６は、本体部７０の一部が切り起こされた切り起こし片であり、本体部７０の他の部位に対して立ち上がった部位である。
位置調整部７５，７６は、横方向Ｘにおいて、所定の間隔を空けて同一直線上に並んでいる。本実施形態では、位置調整部７５，７６は、横方向Ｘの両端部近傍であって、かつ、縦方向Ｙの一方の端部近傍に設けられている。
【０１０７】
位置決め穴７７，７８は、有機ＥＬタイル６の位置決め用突起部６０，６１を挿入可能な貫通孔又は有底穴であり、位置決め用突起部６０，６１の裾部分と略同一形状をしている。
位置決め穴７７，７８は、横方向Ｘにおいて、所定の間隔を空けて同一直線上に並んでいる。本実施形態では、位置決め穴７７，７８は、縦方向Ｙにおいて、中央に位置しており、横方向Ｘにおいて、両端部のそれぞれに寄った位置に配されている。
【０１０８】
外装層側凸部７１は、四角形状をしており、本体部７０の外周縁に沿って周方向に所定の間隔を空けて並んでいる。
具体的には、外装層側凸部７１は、本体部７０のそれぞれの縦辺に５つ設けられており、本体部７０の一方の横辺に５つ設けられ、他方の横辺に６つ設けられている。
【０１０９】
外装層４の縦辺の一部を構成する外装層側凸部７１ａ，７１ｂは、それぞれ縦方向Ｙにおいて離間して並設されている。
並設方向（縦方向Ｙ）に隣接する外装層側凸部７１ａ，７１ａは、本体部７０の端辺とともに外装層側凹部７２ａを形成している。同様に並設方向に隣接する外装層側凸部７１ｂ，７１ｂは、本体部７０の端辺とともに外装層側凹部７２ｂを形成している。
対向する縦辺に属する外装層側凸部７１ａ，７１ｂは、横方向Ｘにおいて同一直線上に並んでおり、互いに離反する方向に突出している。別の観点からみると、縦方向Ｙに隣接する外装層側凸部７１ａ，７１ａによって構成される外装層側凹部７２ａは、縦方向Ｙに隣接する外装層側凸部７１ｂ，７１ｂによって構成される外装層側凹部７２ｂと互いに近接する方向に窪んでいる。
【０１１０】
一方の縦辺に属する外装層側凸部７１ａの数は、他方の縦辺に属する外装層側凸部７１ｂの数と同数となっている。隣接する外装層側凸部７１ａ，７１ａ間の間隔は、隣接する外装層側凸部７１ｂ，７１ｂ間の間隔と等しい。すなわち、外装層側凹部７２ａの幅は、外装層側凹部７２ｂの幅と等しい。また、外装層側凸部７１ａの幅は、外装層側凸部７１ｂの幅と等しい。
【０１１１】
外装層４の横辺の一部を構成する外装層側凸部７１ｃ，７１ｄは、それぞれ横方向Ｘにおいて離間して並設されている。
並設方向（横方向Ｘ）に隣接する外装層側凸部７１ｃ，７１ｃは、本体部７０の端辺とともに外装層側凹部７２ｃを形成している。同様に並設方向に隣接する外装層側凸部７１ｄ，７１ｄは、本体部７０の端辺とともに外装層側凹部７２ｄを形成している。
対向する横辺に属する外装層側凸部７１ｃ，７１ｄは、横方向Ｘにおいて互い違いとなっている。外装層側凸部７１ｃ，７１ｄは、縦方向Ｙにおいて、互いに離反する方向に突出している。別の観点からみると、横方向Ｘに隣接する外装層側凸部７１ｃ，７１ｃによって構成される外装層側凹部７２ｃは、横方向Ｘに隣接する外装層側凸部７１ｄ，７１ｄによって構成される外装層側凹部７２ｄと互いに近接する方向に窪んでいる。
【０１１２】
一方の横辺に属する外装層側凸部７１ｃの数は、他方の横辺に属する外装層側凸部７１ｄの数よりも多い。隣接する外装層側凸部７１ｃ，７１ｃ間の間隔は、隣接する外装層側凸部７１ｄ，７１ｄ間の間隔よりも狭い。すなわち、外装層側凹部７２ｃの幅は、外装層側凹部７２ｄの幅よりも狭い。また、外装層側凸部７１ｃの幅は、外装層側凸部７１ｄの幅よりも狭い。
外装層４の平均厚みは、弾性ジャケット３の平均厚みと同程度となっている。
【０１１３】
接着部材５は、図１２の拡大図に示されるように、基材の片面に粘着剤からなる粘着層を備えるテープであり、具体的には、基材の両面に粘着層を備える両面テープである。
【０１１４】
（弾性ジャケット３）
本発明の弾性ジャケット３について概念的に説明する。
弾性ジャケット３は、本発明に係るガラス基板２０の全周を覆うものである。言い換えれば、本発明に係るガラス基板２０の側面は全て本発明の弾性ジャケット３で覆われることとなる。
【０１１５】
本発明に係る弾性ジャケット３は、一方の主面をなす発光側覆部５０（正面側覆部）、他方の主面をなす背面側覆部５１、及び平面状の側面をなす側面側覆部５２から構成されている。弾性ジャケット３は、一方の主面をなす発光側覆部５０、及び他方の主面をなす背面側覆部５１は、この平面状の側面をなす側面側覆部５２によりこの弾性ジャケット３の全周において連続的に接続されている。
【０１１６】
一方の主面をなす発光側覆部５０は、面状発光タイル２の面状発光領域３７を含みその外形と相似形の発光側開口部５３を有する。すなわち、発光側覆部５０は、図１３のように、正面視したときに、この発光側開口部５３の内に、面状発光タイル２の発光領域３８が全て含まれており、このような面状発光タイル２の全ての発光領域３８を含む全体的な領域の総称が面状発光領域３７である。つまり、面状発光領域３７は面状発光タイル２に対して唯一の領域たる「一の面状発光領域」である。
従って、面状発光領域３７は、図１３に示されるように、互いに分離された複数のサブ発光領域３８を含んでいても良い。換言すると、例えば、面状発光タイル２に複数の小片状の発光領域３８が分布して存在する場合には、これら全ての発光領域３８を含んだ最大範囲（アウトラインを結んだ領域）を面状発光領域３７という。
このように、一方の主面をなす発光側覆部５０は、実体としては、発光側開口部５３の周囲に存在する額縁Ａ（額縁３１）である。
【０１１７】
他方の主面をなす背面側覆部５１は、背面側開口部５５をその中央に有し、その開口を囲む背面側開口部５５の閉じた外形線は、複数の凹部（ジャケット側凹部８２）を含んでいる。つまり、他方の主面をなす背面側覆部５１は、図１，図２に示されるように、実体としては、背面側開口部５５の周囲に存在するゴム製の額縁Ｂ（額縁３２）であって、複数の凹部に対応する凸部（ジャケット側凸部８１）を備える額縁Ｂ（額縁３２）である。
【０１１８】
ここで、額縁Ｂについて、その凸部（ジャケット側凸部８１）を除いて、それ以外の部分を帯状の領域とみなし、その幅の平均値を額縁Ｂの平均幅Ｗｂとしたときに、本発明に係る弾性ジャケット３は、図１６に示されるように、額縁Ａの平均幅Ｗａが額縁Ｂの平均幅Ｗｂより広いことが好ましい。こうすることで、高信頼性のエッジ保護となり、美観にも優れる弾性ジャケット３となる。
ジャケット側凸部８１を含んだ額縁Ｂの平均幅が額縁Ａの平均幅Ｗａよりも狭くてもよい。
【０１１９】
平面状の側面をなす側面側覆部５２は、一方の主面をなす発光側覆部５０、及び他方の主面をなす背面側覆部５１を接続し、かつ、両主面に直角な平面状の側面である。側面側覆部５２は、好ましくは両主面、即ち、両額縁と同一の材料からこれらと一体として成形されたエッジ保護部材の側面であることである。
【０１２０】
このような本発明に係る弾性ジャケット３について、その大きさや形は、面状発光タイル２と、その両主面をなす覆部５０，５１及び側面をなす覆部５２で形成されるＣチャンネルとが適切に嵌合可能なように、ほぼ同じである。弾性ジャケット３の大きさや形は、好ましくは、ゴムの延びを考慮して０〜３０％小さくすることもできるし、好適には３％程度小さくすることができる。更に、弾性ジャケット３のゴム素材は、天然ゴムでもよいが、好ましくは化学的に安定なシリコーンゴムである。また、このような弾性ジャケット３のゴム素材は、白色顔料を含むことが好ましい。
【０１２１】
この弾性ジャケット３が、外装層４が取り付けられた、面状発光タイル２に被せ取り付けられる。
ここで、例えば、外装層４として、鉄板の外形に予め凹凸を設けたものを使用し、額縁Ｂの凹凸がこの外装層４の凹凸と嵌合するように被せる。そして、先に面状発光タイル２と外装層４を取り付けるために貼られ外装層４の外周凹部（外装層側凹部７２）に剥き出しになっている両面テープ（接着部材５）によって、背面側開口部５５の周囲で弾性ジャケット３と面状発光タイル２を固定できる。こうすることにより信頼性の高いエッジ保護構造となる。
発光側開口部５３の周囲の額縁Ａは固定されていなくてもよいが、好ましくは固定する方が良い。その固定方法は、接着材や粘着剤による固定でもよいし、弾性ジャケット３を被せる前に面状発光タイル２の表面で額縁Ａの下になる部分に両面テープ９５を貼っておき、弾性ジャケット３を被せた後にその両面テープ９５で固定してもよい。
【０１２２】
続いて、本発明の第１実施形態の弾性ジャケット３について説明する。なお、上記の説明と重複するところは同一の符号を付して簡単に述べる。
【０１２３】
弾性ジャケット３は、面状発光タイル２のエッジを保護するものであって、弾性を有したエッジ保護部材である。具体的には、弾性ジャケット３は、ゴム製のジャケットである。弾性ジャケット３は、発光面１０の発光色と同色にして全面が発光しているように見せる観点から、白色顔料を含んで形成され実質的に白色であることが好ましい。
【０１２４】
弾性ジャケット３は、図１２に示されるように、発光側覆部５０（正面側覆部）と、背面側覆部５１と、側面側覆部５２から構成されている。
発光側覆部５０及び背面側覆部５１は、側面側覆部５２を介して、弾性ジャケット３の全周において連続的に接続されている。すなわち、弾性ジャケット３の断面構造は、発光側覆部５０、背面側覆部５１、及び側面側覆部５２で形成されたＣチャンネル状となっている。
【０１２５】
発光側覆部５０は、図１３に示されるように、面状発光領域３７の外形と相似関係となる発光側開口部５３を有している。発光側開口部５３は、正面視したときに、中央に位置している。すなわち、発光側覆部５０は、発光側開口部５３の周囲に存在する額縁Ａであるともいえる。
【０１２６】
背面側覆部５１は、図１６に示されるように、背面視したときに、中央に背面側開口部５５を有している。すなわち、背面側覆部５１は、背面側開口部５５の周囲に存在する額縁Ｂである。
背面側覆部５１は、額縁部８０と、額縁部８０から中央側に向かって突出したジャケット側凸部８１から構成されている。
【０１２７】
額縁部８０は、ジャケット側凸部８１とともに背面側開口部５５を形成し、背面側開口部５５を囲む額縁部分である。額縁部８０は、実体的には側面側覆部５２の端面で形成された部分である。
ジャケット側凸部８１は、四角形状の板状部位であり、額縁部８０に対して一辺が接続された自由端となっている。すなわち、ジャケット側凸部８１は、厚み方向に弾性変形可能となっている。
ジャケット側凸部８１は、額縁部８０の端辺に沿って周方向に所定の間隔を空けて並んでいる。すなわち、ジャケット側凸部８１は、背面側開口部５５の開口縁に沿って、所定の間隔を空けて離間している。また、ジャケット側凸部８１は、額縁部８０に沿って環状に並んでいる。
【０１２８】
背面側覆部５１の縦辺の一部を構成するジャケット側凸部８１ａ，８１ｂは、それぞれ縦方向Ｙにおいて離間して並設されている。
並設方向（縦方向Ｙ）に隣接するジャケット側凸部８１ａ，８１ａは、背面視したときに額縁部８０の端辺とともにジャケット側凹部８２ａを形成している。すなわち、ジャケット側凹部８２ａは、隣接するジャケット側凸部８１ａ，８１ａによって並設方向に挟まれた四角形状の切り欠きである。同様に、並設方向（縦方向Ｙ）に隣接するジャケット側凸部８１ｂ，８１ｂは、背面視したときに額縁部８０の端辺とともにジャケット側凹部８２ｂを形成している。すなわち、ジャケット側凹部８２ｂは、隣接するジャケット側凸部８１ｂ，８１ｂによって並設方向に挟まれた四角形状の切り欠きである。
【０１２９】
対向する縦辺に属するジャケット側凸部８１ａ，８１ｂは、横方向Ｘにおいて同一直線上に並んでいる。ジャケット側凸部８１ａ，８１ｂは、互いに近接する方向に突出している。別の観点からみると、縦方向Ｙに隣接するジャケット側凸部８１ａ，８１ａによって構成されるジャケット側凹部８２ａは、縦方向Ｙに隣接するジャケット側凸部８１ｂ，８１ｂによって構成されるジャケット側凹部８２ｂと互いに離反する方向に窪んでいる。
一方の縦辺に属するジャケット側凸部８１ａの数は、他方の縦辺に属するジャケット側凸部８１ｂの数と同数となっている。隣接するジャケット側凸部８１ａ，８１ａ間の間隔は、隣接するジャケット側凸部８１ｂ，８１ｂ間の間隔と等しい。すなわち、ジャケット側凹部８２ａの幅は、ジャケット側凹部８２ｂの幅と等しい。
また、ジャケット側凸部８１ａの幅は、ジャケット側凸部８１ｂの幅と等しい。
【０１３０】
背面側覆部５１の横辺の一部を構成するジャケット側凸部８１ｃ，８１ｄは、それぞれ横方向Ｘにおいて離間して並設されている。
並設方向（横方向Ｘ）に隣接するジャケット側凸部８１ｃ，８１ｃは、背面視したときに額縁部８０の端辺とともにジャケット側凹部８２ｃを形成している。すなわち、ジャケット側凹部８２ｃは、隣接するジャケット側凸部８１ｃ，８１ｃによって並設方向に挟まれた四角形状の切り欠きである。同様に、並設方向（横方向Ｘ）に隣接するジャケット側凸部８１ｄ，８１ｄは、背面視したときに額縁部８０の端辺とともにジャケット側凹部８２ｄを形成している。すなわち、ジャケット側凹部８２ｄは、隣接するジャケット側凸部８１ｄ，８１ｄによって並設方向に挟まれた四角形状の切り欠きである。
【０１３１】
対向する横辺に属するジャケット側凸部８１ｃ，８１ｄは、横方向Ｘにおいて互い違いとなっている。ジャケット側凸部８１ｃ，８１ｄは、縦方向Ｙにおいて、互いに近接する方向に突出している。別の観点からみると、横方向Ｘに隣接するジャケット側凸部８１ｃ，８１ｃによって構成されるジャケット側凹部８２ｃは、横方向Ｘに隣接するジャケット側凸部８１ｄ，８１ｄによって構成されるジャケット側凹部８２ｄと互いに離反する方向に窪んでいる。
【０１３２】
一方の横辺に属するジャケット側凸部８１ｃの数は、他方の横辺（対辺）に属するジャケット側凸部８１ｄの数よりも多い。隣接するジャケット側凸部８１ｃ，８１ｃ間の間隔は、隣接するジャケット側凸部８１ｄ，８１ｄ間の間隔よりも狭い。すなわち、ジャケット側凹部８２ｃの幅は、ジャケット側凹部８２ｄの幅よりも狭い。
また、ジャケット側凸部８１ｃの幅は、ジャケット側凸部８１ｄの幅よりも狭い。
【０１３３】
側面側覆部５２は、ガラス基板２０の側端面を覆う部位である。
側面側覆部５２は、発光側覆部５０及び背面側覆部５１を連続的又は間欠的に接続し、かつ、発光側覆部５０及び背面側覆部５１と交差する側面である。
側面側覆部５２は、発光側覆部５０及び背面側覆部５１と一体的に成形されている。
背面側覆部５１の厚みは、発光側覆部５０や側面側覆部５２の厚みよりも薄くしても良い。
【０１３４】
続いて、第１実施形態の面状発光パネル１の組み立てる際の手順とともに各部位の位置関係について説明する。
【０１３５】
まず、有機ＥＬタイル６の外周に沿って接着部材５たる両面テープを貼り、外装層４を貼り付ける。すなわち、有機ＥＬタイル６上に接着部材５を介して外装層４を接着する。
【０１３６】
このとき、外装層４は、図１２に示されるように、接着部材５によって、有機ＥＬタイル６の背面のほぼ全面を覆うように、有機ＥＬタイル６に対して貼られている。つまり、封止層２８の保護フィルム３４上に接着部材５を介して外装層４が接着されている。また、外装層４の外装層側凹部７２から接着部材５の一部が露出している。
また、有機ＥＬタイル６の位置決め用突起部６０，６１は、外装層４の位置決め穴７７，７８に挿入されており、外装層４は有機ＥＬタイル６に対する相対的な面方向への動きが規制されている。有機ＥＬタイル６の給電端子６２，６３は、給電用挿通孔７３，７４を挿通しており、給電用挿通孔７３，７４からその一部が露出している。
【０１３７】
また別途工程において、両面テープ９５を面状発光タイル２の発光面１０側の面に当該両面テープ９５の片面を貼る。
【０１３８】
このとき、両面テープ９５は、発光面１０の周囲を環状に貼られており、発光面１０と重ならないように貼られている。具体的には、発光パネル１を組み立てた際に、面状発光タイル２の発光面１０側の面に発光側覆部５０の背面側と重なる部分に両面テープ９５を貼っている。
【０１３９】
さらに別途工程において、有機ＥＬタイル６の発光面１０を覆うように樹脂層２９を貼り付ける。
【０１４０】
このとき、面状発光パネル１の正面は、面状発光領域３７からの光を遮るように樹脂層２９が被覆している。
【０１４１】
これらの工程後、弾性ジャケット３を面状発光タイル２の発光面１０側（正面側）から被せて、両面テープ９５によって、弾性ジャケット３の発光側覆部５０と面状発光タイル２の発光面１０側の面を接着して、面状発光パネル１が完成する。
【０１４２】
このとき、弾性ジャケット３は、面状発光タイル２の外側を被さっている。すなわち、弾性ジャケット３は、正面視したときに、面状発光タイル２の全周を覆っており、ガラス基板２０の側面は全て弾性ジャケット３で覆われている。つまり、弾性ジャケット３は、ガラス基板２０の縁端面を覆っており、外部からガラス基板２０を保護している。
またこのとき、弾性ジャケット３は、面状発光タイル２に対して若干小さく、全体的に３％程度伸びた状態で面状発光タイル２に取り付けられている。
さらにこのとき、外装層４の外装層側凹部７２から外部に剥き出しとなった接着部材５に弾性ジャケット３のジャケット側凸部８１が接着される。背面側開口部５５の周囲で弾性ジャケット３と面状発光タイル２が接着部材５によって一体的に固定される。
弾性ジャケット３は、有機ＥＬタイル６の背面側に取り付けられた外装層４と面方向において係合している。具体的には、外装層４の外装層側凸部７１の側面は、面方向であってかつ周方向において、弾性ジャケット３のジャケット側凸部８１の側面と係合している。すなわち、外装層４の外装層側凸部７１は、弾性ジャケット３のジャケット側凹部８２内に進入してジャケット側凹部８２と嵌合しており、ジャケット側凸部８１は、外装層側凹部７２内に進入して外装層側凹部７２と嵌合している。
外装層４の背面は、弾性ジャケット３の背面側覆部５１の背面ともに一つの平面を形成しており、面一となっている。
また、弾性ジャケット３の発光側覆部５０は、面状発光タイル２の正面側に形成された両面テープによって接着されている。
有機ＥＬタイル６の発光面１０を覆うように樹脂層２９が形成されており、正面視したときに、弾性ジャケット３の発光側開口部５３内に樹脂層２９が配されている。
【０１４３】
本実施形態の面状発光パネル１は、発光面１０が白色に発光するものであり、弾性ジャケット３も実質的に白色であるため、発光面１０から放射された光は、弾性ジャケット３で乱反射し、全体として輝度が向上する。また、見た目も全体が光っているように見えるので発光面１０を大きく見せることができる。
【０１４４】
本実施形態の面状発光パネル１は、ジャケット３の背面側覆部５１の各辺に複数のジャケット側凹部８２とジャケット側凸部８１が形成されているため、面状発光タイル２からのジャケット３の捲れや剥がれ等を防止することができる。
【０１４５】
続いて、本願意匠の意匠性について説明する。
【０１４６】
本願意匠の面状発光パネルは、いわば照明器具である。すなわち、図１７に示される本願意匠にかかる物品は、室内の壁面（天井や床面を含む）や家具の壁面などに取り付けて使用される照明器具である。本物品は、片面に発光面を備えた面状光源であり、発光面によって生活空間を照らすことができる。
図１７（ａ）は本願意匠に係る照明器具の正面図を表し、図１７（ｂ）は本願意匠に係る照明器具の背面図を表し、図１７（ｃ）は本願意匠に係る照明器具の平面図を表し、図１７（ｄ）は本願意匠に係る照明器具の底面図を表し、図１７（ｅ）は本願意匠に係る照明器具の右側面図を表し、図１７（ｆ）は本願意匠に係る照明器具の左側面図を表す。
図１８（ａ）は、図１７（ｂ）と同様、本願意匠に係る照明器具の背面図を表し、図１８（ｂ），図１８（ｃ），図１８（ｄ），図１８（ｅ）は、それぞれ図１８（ａ）のＡ−Ａ断面図、Ｂ−Ｂ断面図、Ｃ−Ｃ断面図、Ｄ−Ｄ断面図を表す。
本願意匠の面状発光パネルは、面状発光タイルに取り付けるジャケットの背面に開口を備えている。そして、当該開口の縁に凹凸が設けられ、この凹凸が規則的に連続している。いずれの凸部も同一のものであり、いずれの凹部も同一のものである。
また、この凹凸を形成する凸部は、等間隔に配されており、凹部も等間隔に配されている。
【０１４７】
上記した実施形態では、ジャケット側凸部８１及びジャケット側凹部８２の形状がそれぞれ長方形状であったが、本発明はこれに限定されるものではない。ジャケット側凸部８１及びジャケット側凹部８２の形状は、例えば、図１９（ａ）に示されるように、台形状であってもよいし、図１９に示されるように曲線状又は半円状であってもよい。
また、ジャケット側凸部８１の形状は、図４，図５，図２０に示されるように、突出方向の基端部側から先端部側に向かうにつれて幅が漸次広がっていてもよい。言い換えると、ジャケット側凹部８２の形状は、退避方向の基端部側から先端部側に向かうにつれて幅が漸次狭まっていてもよい。
同様に上記した実施形態では、外装層側凸部７１及び外装層側凹部７２の形状がそれぞれ長方形状であったが、本発明はこれに限定されるものではない。例えば、台形状であってもよいし、曲線状又は半円状であってもよい。
また、外装層側凸部７１の形状は、突出方向の基端部側から先端部側に向かうにつれて幅が漸次広がっていてもよい。言い換えると、外装層側凹部７２の形状は、退避方向の基端部側から先端部側に向かうにつれて幅が漸次狭まっていてもよい。
【０１４８】
上記した実施形態では、弾性ジャケット３は、四角形状のジャケット側凸部８１及びジャケット側凹部８２が外周に沿って連続するものであったが、本発明はこれに限定されるものではない。例えば、図２１（ａ）に示されるように三角形状のジャケット側凸部及びジャケット側凹部が外周に沿って連続していてもよいし、例えば、図２１（ｂ）に示されるように半楕円状のジャケット側凸部及びジャケット側凹部が外周に沿って連続していてもよい。
同様に上記した実施形態では、外装層４は、四角形状の外装層側凸部７１及び外装層側凹部７２の形状が外周に沿って連続するものであったが、本発明はこれに限定されるものではない。例えば、三角形状の外装層側凸部及び外装層側凹部が外周に沿って連続していてもよいし、例えば、半楕円状の外装層側凸部及び外装層側凹部が外周に沿って連続していてもよい。
【０１４９】
上記した実施形態では、ジャケット側凸部８１が外装層側凹部７２と嵌合していたが、本発明はこれに限定されるものではなく、必ずしもしっかりと嵌合する必要はない。
例えば、図２２（ａ）のようにジャケット３と外装層４との間に隙間が形成されていてもよい。また、ジャケット３と外装層４は一部分のみが接触していてもよい。例えば、図２２（ｂ）のように、ジャケット側凸部８１の突出方向の先端面と外装層４のみが接触していてもよい。
【０１５０】
上記した実施形態では、ジャケット３は、３つの辺に形成されたジャケット側凸部８１ａ，８１ｂ，８１ｄの数と、残りの１つの辺に形成されたジャケット側凸部８１ｃの数が異なるものであったが、本発明はこれに限定されるものではない。例えば、図２０のように、各辺のジャケット側凸部８１の数は同数であってもよい。
【０１５１】
上記した実施形態では、面状発光タイル２の一部に外装層４が設けられていたが、本発明はこれに限定されるものではなく、外装層４を設けなくてもよい。
【０１５２】
上記した実施形態では、２つの給電端子６２，６３によって発光機能層２６に給電されるものであったが、本発明はこれに限定されるものではなく、１つの給電端子によって発光機能層２６に給電されるものでもよい。
【０１５３】
上記した実施形態では、面状発光タイル２の発光面１０側の面に発光側覆部５０と重なる部分に両面テープ９５を貼り、発光側開口部５３の周囲の額縁Ａを両面テープ９５によって固定したが、本発明はこれに限定されるものではない。例えば、両面テープ９５によって接着しなくてもよい。
また、面状発光タイル２と発光側覆部５０の接着を両面テープ９５によって行ったが、本発明はこれに限定されるものではなく、接着材や粘着剤によって接着してもよい。
【０１５４】
上記した実施形態では、封止層２８は、無機封止層３３と保護フィルム３４から構成されていたが、本発明はこれに限定されるものではなく、封止層２８は、無機封止層３３のみで形成されていてもよい。
【０１５５】
上記した実施形態では、面状発光タイル２は四角形状であったが、本発明はこれに限定されるものではなく、面状発光タイル２は、円形状であってもよいし、多角形状であってもよい。例えば、面状発光タイル２は、三角形状であってもよいし、六角形状であってもよい。
【０１５６】
上記した実施形態では、隣接するジャケット側凸部８１，８１及び隣接する外装層側凸部７１，７１は周方向において等間隔に配されていたが、本発明はこれに限定されるものではない。例えば、ジャケット側凸部８１，８１及び外装層側凸部７１，７１は周方向において異なる間隔で配されていてもよい。
同様に上記した実施形態では、隣接するジャケット側凹部８２，８２及び隣接する外装層側凹部７２，７２は周方向において等間隔に配されていたが、本発明はこれに限定されるものではない。例えば、ジャケット側凹部８２，８２及び外装層側凹部７２，７２は周方向において異なる間隔で配されていてもよい。
【実施例】
【０１５７】
以下、本発明の面状発光パネル１を組み立てた実施例を挙げて、本発明を具体的に説明するが、本発明は以下の実施例および比較例に限定されるものではない。      【０１５８】
（実施例１）
まず、透光性の第１電極層２５として酸化インジウム錫（ＩＴＯ）が製膜された０．７ｍｍ厚みのガラス基板２０を用意し、第１電極層２５としてＩＴＯ上に、発光機能層２６として、順に電子注入層、電子輸送層、発光層、正孔輸送層、正孔注入層を積層した。そして、発光機能層２６の上にアルミニウムからなる第２電極層２７を積層して有機ＥＬ発光素子２２を形成した。
その後、窒素含有シリコン合金層３５としてシリコン窒化膜をＣＶＤ法で製膜し、酸素含有シリコン合金層３６としてポリシラザンをスプレー法にて塗布し焼成して、無機封止層３３を形成した。そして、粘着材付きポリエチレンテレフタラート（ＰＥＴ）からなる保護フィルム３４を貼り付けて、有機ＥＬタイル６を作製した。
有機ＥＬタイル６の外形は、９０ｍｍ×９０ｍｍであり、有機ＥＬタイル６の面状発光領域３７の外形は、８０ｍｍ×８０ｍｍであった。【０１５９】
次に、有機ＥＬタイル６の保護フィルム３４上に８２ｍｍ×８２ｍｍの大きさで厚み５０μｍの両面テープを貼り、ガラス基板２０の給電部分に異方性導電フィルム（ＡＣＦ）を貼った。その後、両面テープの剥離紙を剥して厚み１８０μｍのフレキシブルプリント基板（ＦＰＣ）を有機ＥＬタイル６に固定した後、ＡＣＦ接続部分を熱圧着し、ＦＰＣ給電配線を形成し、給電部材によって配線された有機ＥＬタイル６を作製した。また、ＦＰＣ給電配線を形成した後、樹脂層２９として光学フィルムをガラス基板２０の光射出側表面に貼り付けた。【０１６０】
別途、外装層４と弾性ジャケット３を準備した。【０１６１】
外装層４は、防錆処理された外形９０．２ｍｍ×９０．２ｍｍで厚み０．４ｍｍの鉄板を用いた。外装層４の角部分は長さ４．９ｍｍで三角型に切り欠き、３辺には幅３．３ｍｍ長さ７．６ｍｍの凹部を約５ｍｍの間を離して６箇所設けた。残りの１辺には幅３．３ｍｍ長さ６．６ｍｍの凹部３箇所と幅２．７ｍｍ長さ６．６ｍｍの凹部４箇所を約４．４ｍｍの間を離して計７箇所設けた。【０１６２】
弾性ジャケット３は、シリコーンゴム製で、大きさは外装層４より約３％小さい形状で、発光側開口部５３を形成する額縁Ａの幅は４．５ｍｍで、背面側開口部５５の額縁Ｂは外装層４に嵌合する大きさに設計し製作した。
額縁Ａのゴムの厚みは０．３ｍｍ、額縁Ｂのゴムの厚みは０．４ｍｍで、主面に垂直な側面のゴムの厚みは０．４ｍｍとした。【０１６３】
これらの部材を組み立てて有機ＥＬタイル６を作製した。先に作製した配線された有機ＥＬタイル６の裏面（背面）のＦＰＣや有機ＥＬタイル６上に、接着部材５として８９．８ｍｍ×８９．８ｍｍの大きさで厚み０．１ｍｍの両面テープを貼り付け、その上に外装層４を貼り付けて固定し、面状発光タイル２を形成した。
次に、面状発光タイル２の有機ＥＬタイル６の表面で額縁Ａの下になる部分に長さ８５ｍｍ幅３ｍｍ厚み０．１ｍｍの両面テープ９５を貼った。
最後に、面状発光タイル２の有機ＥＬタイル６に弾性ジャケット３を被せた。このとき、外装層４の周囲の凹凸と弾性ジャケット３の背面側開口部５５の周囲の凹凸を嵌合させた。また、あらかじめ先に有機ＥＬタイル６と外装層４を固定するために貼り、外装層４の外周凹部に剥き出しになっている接着部材５たる両面テープによって、弾性ジャケット３と有機ＥＬタイル６を固定した。また、有機ＥＬタイルの表面で額縁Ａの下になる部分に貼った両面テープ９５により、額縁Ａと有機ＥＬタイル６を固定した。このようにして、面状発光タイル２に弾性ジャケット３を取り付け、実施例１の面状発光パネル１たる有機ＥＬパネルを完成させた。【０１６４】
この有機ＥＬパネルは触れても、８５℃／８５％ＲＨ／５００時間の耐久試験を行っても、弾性ジャケット３の外れやめくれや膨らみは発生しなかった。このことから、弾性ジャケット３がエッジ保護部材として良好に機能することが確認できた。【０１６５】
（比較例１）
上記した実施例と同様に、有機ＥＬタイル６を作製した。また、別途、外装層と弾性ジャケットも準備したが、図３に示されるように、実施例１の外装層４及び弾性ジャケット３とは異なり、外装層の外周および弾性ジャケットの背面側開口部の周囲には凹凸構造を形成しなかった。これらを実施例１と同様に両面テープを貼り、有機ＥＬパネルに組み立てた。【０１６６】
この比較例１の有機ＥＬパネルは触れたところ、弾性ジャケットの外れや剥がれや膨らみが発生した。このことから、弾性ジャケットは、エッジ保護部材として十分に機能していないことがわかった。【０１６７】
以上のように、弾性ジャケット３の背面に凹凸を形成することによって、弾性ジャケット３の面状発光タイル２に対する外れやめくれ、膨らみを防止できることが分かった。
【符号の説明】
【０１６８】
１  面状発光パネル（有機ＥＬパネル）
２  面状発光タイル（発光タイル）
３  弾性ジャケット
４  外装層
６  有機ＥＬタイル
２０  ガラス基板
２１  有機ＥＬ発光素子層
２９  樹脂層
３１  額縁Ａ
３２  額縁Ｂ
３３  無機封止層
３７  面状発光領域
３８  サブ発光領域（発光領域）
５０  発光側覆部（正面側覆部）
５１  背面側覆部
５２  側面側覆部
５５  背面側開口部（背面側開口）
７０  本体部
７１，７１ａ，７１ｂ，７１ｃ，７１ｄ  外装層側凸部
７２，７２ａ，７２ｂ，７２ｃ，７２ｄ  外装層側凹部
８１，８１ａ，８１ｂ，８１ｃ，８１ｄ  ジャケット側凸部
９２  粘着剤層
【図１】
0006612756.tif 000002
【図２】
0006612756.tif 000003
【図３】
0006612756.tif 000004
【図４】
0006612756.tif 000005
【図５】
0006612756.tif 000006
【図６】
0006612756.tif 000007
【図７】
0006612756.tif 000008
【図８】
0006612756.tif 000009
【図９】
0006612756.tif 000010
【図１０】
0006612756.tif 000011
【図１１】
0006612756.tif 000012
【図１２】
0006612756.tif 000013
【図１３】
0006612756.tif 000014
【図１４】
0006612756.tif 000015
【図１５】
0006612756.tif 000016
【図１６】
0006612756.tif 000017
【図１７】
0006612756.tif 000018
【図１８】
0006612756.tif 000019
【図１９】
0006612756.tif 000020
【図２０】
0006612756.tif 000021
【図２１】
0006612756.tif 000022
【図２２】
0006612756.tif 000023